(57)【要約】【課題】  複数の画像処理装置と表示装置が存在するネットワーク上で、ネットワーク上の機器を制御する制御機器により画像処理装置の持つ画像が表示装置へ表示される場合、制御される画像処理装置はどの画像がどのタイミングで表示装置へ表示されるのか知ることができなかった。【解決手段】  ネットワーク制御装置は、スライドショーの実行前に、スライドショーの対象画像の記憶先に対しその旨を通知する。【選択図】  図１５
2008300938.tif 000002
【特許請求の範囲】
【請求項１】
複数の画像処理装置とネットワークを形成するネットワーク制御装置であって、
前記複数の画像処理装置から、それぞれの画像処理装置に記憶された画像の属性情報及び前記画像処理装置の機器ＩＤを取得する取得手段と、
前記画像の属性情報と前記機器ＩＤとを関連付けて記憶する記憶手段と、
前記画像の表示順序を管理する管理手段と、
前記表示順序に基づき前記画像の属性情報を読み出し、前記画像を表示装置に順次表示させるよう制御する表示制御手段と、
前記表示装置に前記画像が表示される前に、前記読み出した画像の属性情報と関連付けられた機器ＩＤを有する画像処理装置に対して前記画像の属性情報を送信する送信手段とを有することを特徴とするネットワーク制御装置。
【請求項２】
前記管理手段は、前記表示装置に表示中の画像の次に表示される画像を特定し、
前記送信手段は、前記特定された画像の属性情報と関連付けられた機器ＩＤを有する画像処理装置に対し、前記画像の属性情報を送信することを特徴とする請求項１に記載のネットワーク制御装置。
【請求項３】
前記送信手段による送信への応答として前記画像処理装置から送信された、前記画像の表示の可否を示す情報を受信する受信手段をさらに有し、
前記表示制御手段は、前記受信した情報が示す表示の可否に応じて表示を制御することを特徴とする請求項１乃至２に記載のネットワーク制御装置。
【請求項４】
前記受信手段により、前記画像の表示を許可する旨の情報を受信した場合、前記表示制御手段は前記画像を表示するよう制御することを特徴とする請求項３に記載のネットワーク制御装置。
【請求項５】
前記受信手段により、前記画像の表示を許可しない旨の情報を受信した場合、前記表示制御手段は前記画像を表示せず、次の表示順序の画像を表示するよう制御することを特徴とする請求項３または４に記載のネットワーク制御装置。
【請求項６】
前記画像の表示を許可する旨の情報を一定時間受信しなかった場合には、前記表示制御手段は前記画像を表示せず、次の表示順序の画像を表示するよう制御することを特徴とする請求項３乃至５に記載のネットワーク制御装置。
【請求項７】
前記画像の表示を許可しない旨の情報を一定時間受信しなかった場合には、前記表示制御手段は前記画像を表示するよう制御することを特徴とする請求項３乃至５に記載のネットワーク制御装置。
【請求項８】
複数の画像処理装置から受信した画像の属性情報に基づき画像を表示装置に順次表示するよう制御するネットワーク制御装置とネットワークを形成する画像処理装置であって、
記憶媒体に記憶された画像の属性情報をネットワーク制御装置に送信する属性情報送信手段と、
前記ネットワーク制御装置から、自機に記憶された画像が表示装置に表示される旨の情報を受信する受信手段と、
前記受信した情報に基づき、前記画像を前記ネットワーク制御装置により前記表示装置に表示させることを許可するか否かを選択させる選択手段と、
前記選択に基づき、前記ネットワーク制御装置に前記画像の表示の可否を示す情報を送信する可否情報送信手段を有することを特徴とする画像処理装置。
【請求項９】
複数の画像処理装置を含むネットワーク上の機器の制御方法であって、
前記複数の画像処理装置から、それぞれの画像処理装置に記憶された画像の属性情報及び前記画像処理装置の機器ＩＤを取得する取得工程と、
前記画像の属性情報と前記機器ＩＤとを関連付けて記憶する記憶工程と、
前記画像の表示順序を管理する管理工程と、
前記表示順序に基づき前記画像の属性情報を読み出し、前記画像を表示装置に順次表示させるよう制御する表示制御工程と、
前記表示装置に前記画像が表示される前に、前記読み出した画像の属性情報と関連付けられた機器ＩＤを有する画像処理装置に対して前記画像の属性情報を送信する送信工程とを有することを特徴とする制御方法。
【請求項１０】
複数の画像処理装置から受信した画像の属性情報に基づき画像を表示装置に順次表示するよう制御するネットワーク制御装置とネットワークを形成する画像処理装置の制御方法であって、
記憶媒体に記憶された画像の属性情報をネットワーク制御装置に送信する属性情報送信工程と、
前記ネットワーク制御装置から、自機に記憶された画像が表示装置に表示される旨の情報を受信する受信工程と、
前記受信した情報に基づき、前記画像を前記ネットワーク制御装置により前記表示装置に表示させることを許可するか否かを選択させる選択工程と、
前記選択に基づき、前記ネットワーク制御装置に前記画像の表示の可否を示す情報を送信する可否情報送信工程を有することを特徴とする制御方法。
【請求項１１】
複数の画像処理装置を含むネットワーク上の機器に、
前記複数の画像処理装置から、それぞれの画像処理装置に記憶された画像の属性情報及び前記画像処理装置の機器ＩＤを取得する取得工程と、
前記画像の属性情報と前記機器ＩＤとを関連付けて記憶する記憶工程と、
前記画像の表示順序を管理する管理工程と、
前記表示順序に基づき前記画像の属性情報を読み出し、前記画像を表示装置に順次表示させるよう制御する表示制御工程と、
前記表示装置に前記画像が表示される前に、前記読み出した画像の属性情報と関連付けられた機器ＩＤを有する画像処理装置に対して前記画像の属性情報を送信する送信工程とを実行させるコンピュータ可読のプログラム。
【請求項１２】
複数の画像処理装置から受信した画像の属性情報に基づき画像を表示装置に順次表示するよう制御するネットワーク制御装置とネットワークを形成する画像処理装置に、
記憶媒体に記憶された画像の属性情報をネットワーク制御装置に送信する属性情報送信工程と、
前記ネットワーク制御装置から、自機に記憶された画像が表示装置に表示される旨の情報を受信する受信工程と、
前記受信した情報に基づき、前記画像を前記ネットワーク制御装置により前記表示装置に表示させることを許可するか否かを選択させる選択工程と、
前記選択に基づき、前記ネットワーク制御装置に前記画像の表示の可否を示す情報を送信する可否情報送信工程を実行させるコンピュータ可読のプログラム。
【発明の詳細な説明】
【技術分野】
【０００１】
本発明は、画像処理端末間で容易に画像の交換を行うためのネットワーク制御装置、画像処理装置、それらの制御方法、プログラムに関する。
【背景技術】
【０００２】
デジタルデータは画像の編集、通信が容易であり、幅広い用途で用いられる。これらのデジタルデータは、ＣＤやＤＶＤ、ハードディスクなどの電子記録媒体による保存が一般的になっている。
【０００３】
近年のデジタル製品の普及に伴い、デジタル製品をネットワーク上で接続してホームネットワークを形成し、連携動作させようとする動きが広がっている。ホームネットワークを形成することで、例えば音楽や映像といったＡＶコンテンツをホームネットワーク上に存在する機器で共有するといったことが可能になる。このようなホームネットワークを形成する際の機器に対する相互接続性がＤＬＮＡ（Ｄｉｇｉｔａｌ  Ｌｉｖｉｎｇ  Ｎｅｔｗｏｒｋ  Ａｌｌｉａｎｃｅ）によって規定されている。
【０００４】
ＤＬＮＡに対応した機器は、ネットワークに参加した際にＩＰアドレスを取得し、ネットワーク上へ自機器が備えるサービスの情報を報知する。ネットワーク上で、機器を制御する機能を持つＤＬＮＡ機器は、そのサービス情報を参照してネットワーク上の機器へサービスを要求し、様々な動作を行うことができる。
【０００５】
例えば、ホームネットワーク内で他の機器を制御する機能を持つ制御機器が、各画像処理装置から提供される画像に関する情報（データサイズ、撮影日時、タイトルなど）を収集する。そして制御機器がそれらの画像を表示させる任意の順序を決定して画像表示装置へ表示させることにより、ホームネットワーク上で複数機器のスライドショーを行うことが可能である。（例えば、特許文献１）。
【特許文献１】特開２００６−１１３８８０号公報
【発明の開示】
【発明が解決しようとする課題】
【０００６】
しかし、上記従来技術によってホームネットワーク上で複数の画像処理装置の持つ画像についてスライドショーなどを行った場合、スライドショーの内容や順序を決定するのはホームネットワーク内で他の機器を制御する機能を持つ制御機器である。したがって、各画像処理装置のユーザは、自分の機器が保持しているどの画像がどのタイミングで表示装置に表示されるのかあらかじめ知ることができない。従って、予期せぬタイミングで自機が保持している画像が表示されたり、表示を望んでいない画像が表示されてしまう場合がある。
【０００７】
このような場合、表示を望まない画像の情報については予め制御機器へ通知しないことが考えられる。しかし、表示を望まない画像を前もって１つずつ選択するのは煩雑である。また、スライドショーが開始された後から表示をキャンセルすることは困難である。
【課題を解決するための手段】
【０００８】
上記課題を解決するために、本発明に係るネットワーク制御装置は、複数の画像処理装置とネットワークを形成し、前記複数の画像処理装置から、それぞれの画像処理装置に記憶された画像の属性情報及び前記画像処理装置の機器ＩＤを取得する取得手段と、前記画像の属性情報と前記機器ＩＤとを関連付けて記憶する記憶手段と、前記画像の表示順序を管理する管理手段と、前記表示順序に基づき前記画像の属性情報を読み出し、前記画像を表示装置に順次表示させるよう制御する表示制御手段と、前記表示装置に前記画像が表示される前に、前記読み出した画像の属性情報と関連付けられた機器ＩＤを有する画像処理装置に対して前記画像の属性情報を送信する送信手段とを有することを特徴とする。
【０００９】
また、本発明に係る画像処理装置は、複数の画像処理装置から受信した画像の属性情報に基づき画像を表示装置に順次表示するよう制御するネットワーク制御装置とネットワークを形成し、記憶媒体に記憶された画像の属性情報をネットワーク制御装置に送信する属性情報送信手段と、前記ネットワーク制御装置から、自機に記憶された画像が表示装置に表示される旨の情報を受信する受信手段と、前記受信した情報に基づき、前記画像を前記ネットワーク制御装置により前記表示装置に表示させることを許可するか否かを選択させる選択手段と、前記選択に基づき、前記ネットワーク制御装置に前記画像の表示の可否を示す情報を送信する可否情報送信手段を有することを特徴とする。
【発明の効果】
【００１０】
本発明によれば、複数の機器の保持する画像をスライドショーなどを行う場合において、スライドショー開始後にユーザが画像の表示、非表示の指示を行うことができる。このことにより、よりユーザの意図を反映したスライドショーを実現することができる。
【発明を実施するための最良の形態】
【００１１】
以下、この発明の最良の実施形態を図面と共に詳述する。
【００１２】
＜第１の実施形態＞
本実施例では複数台のデジタルカメラとテレビ２０１とがホームネットワークを形成し、テレビ２０１に複数台のデジタルカメラの画像を表示すると共に、デジタルカメラ同士で保持する画像の交換を行う方法について説明する。
【００１３】
＜デバイス構成＞
図１は、本発明の実施形態におけるデジタルカメラの構成を示す図である。以下、本発明の実施形態におけるデジタルカメラの構成について説明する。
【００１４】
１００は本実施形態におけるデジタルカメラである。
２は撮影レンズ、３は絞り機能を備えるシャッター、４は光学像を電気信号に変換する撮像素子、５は撮像素子４のアナログ信号出力をデジタル信号に変換するＡ／Ｄ変換器である。
【００１５】
６は撮像素子４、Ａ／Ｄ変換器５、Ｄ／Ａ変換器７にクロック信号や制御信号を供給するタイミング発生回路であり、メモリ制御回路８及びシステム制御回路９により制御される。
１０は画像処理回路であり、Ａ／Ｄ変換器５からのデータ或いはメモリ制御回路８からのデータに対して所定の画素補間処理や色変換処理を行う。
８はメモリ制御回路であり、Ａ／Ｄ変換器５、タイミング発生回路６、画像処理回路１０、画像表示メモリ１１、Ｄ／Ａ変換器７、メモリ１２を制御する。
【００１６】
Ａ／Ｄ変換器５のデータが画像処理回路１０、メモリ制御回路８を介して、或いはＡ／Ｄ変換器５のデータが直接メモリ制御回路８を介して、画像表示メモリ１１或いはメモリ１２に書き込まれる。
【００１７】
１１は画像表示メモリ、７はＤ／Ａ変換器、１３はＴＦＴ  ＬＣＤ等から成る画像表示部であり、画像表示メモリ１１に書き込まれた表示用の画像データはＤ／Ａ変換器７を介して表示部１３により表示される。
表示部１３を用いて撮像した画像データを逐次表示すれば、電子ファインダー機能を実現することが可能である。
【００１８】
１２は撮影した静止画像や動画像を格納するためのメモリであり、所定枚数の静止画像や所定時間の動画像を格納するのに十分な記憶量を備えている。
１４は絞り機能を備えるシャッター３を制御する露光制御手段であり、フラッシュ１７と連携することによりフラッシュ調光機能も有するものである。
【００１９】
１５は撮影レンズ２のフォーカシングを制御する測距制御手段、１６は撮影レンズ２のズーミングを制御するズーム制御手段である。
１７はフラッシュであり、ＡＦ補助光の投光機能、フラッシュ調光機能も有する。
【００２０】
９はデジタルカメラ１全体を制御するシステム制御回路であって、各部から入力される信号またはプログラムに応じて、各部の動作を制御する。２０はシステム制御回路９の動作用の定数、変数、プログラム等を記憶するメモリである。
【００２１】
１８は電源制御手段で、電池検出回路、ＤＣ−ＤＣコンバータ、通電するブロックを切り替えるスイッチ回路等により構成されている。電源制御手段１８は電池の装着の有無、電池の種類、電池残量の検出を行い、検出結果及びシステム制御回路９の指示に基づいてＤＣ−ＤＣコンバータを制御し、必要な電圧を必要な期間、記録媒体を含む各部へ供給する。１９はアルカリ電池やリチウム電池等の一次電池やＮｉＣｄ電池やＮｉＭＨ電池、Ｌｉ電池等の二次電池、ＡＣアダプター等からなる電源手段である。
【００２２】
２１はシステム制御回路９でのプログラムの実行に応じて、文字、画像、音声等を用いて動作状態やメッセージ等を表示する液晶表示装置、スピーカー等の状態報知部である。状態報知部２１はデジタルカメラ１の操作部近辺の視認し易い位置に単数或いは複数個所設置され、例えばＬＣＤやＬＥＤ、発音素子等の組み合わせにより構成されている。
【００２３】
２２は電気的に消去・記録可能な不揮発性メモリである。ここに機器の無線設定情報を記憶することができる。
２３はメモリカードを接続する為のメモリカードインターフェースであり、２４は外部機器とＵＳＢを用いて接続する為のＵＳＢインターフェースである。
【００２４】
２５は、システム制御回路９の各種の動作指示を入力するための操作手段であり、スイッチやダイアル、タッチパネル、視線検知によるポインティング、音声認識装置等の単数或いは複数の組み合わせで構成される。
【００２５】
２６はシャッタースイッチで、撮像素子４から読み出した信号をＡ／Ｄ変換器５、メモリ制御回路８を介してメモリ１２に画像データを書き込む露光処理、画像処理回路１０やメモリ制御回路８での演算を用いた現像処理という一連の処理の動作開始を指示する。
【００２６】
２７は無線通信回路であり、無線信号を送受信し、無線通信を制御する。２８は他の機器と無線通信を行うためのアンテナである。
【００２７】
２９は自機器の位置を特定するための位置取得装置である。位置取得装置２９の一例としてＧＰＳ（Ｇｌｏｂａｌ  Ｐｏｓｉｔｉｏｎｉｎｇ  Ｓｙｓｔｅｍ）があり、衛星からの電波を受信し自機器の位置を特定することが可能である。電波の受信は定期的に行ってもよいし、特定のタイミング、例えば操作部２５のうち特定の操作部材が操作されたタイミングで受信したり、シャッタースイッチ２６が押されたタイミングで受信してもよい。
【００２８】
３０はメモリカードであり、メモリカードインターフェースを介して送られてきた画像を記憶する。なお、本実施例におけるメモリカード３０はデジタルカメラ１と着脱可能としているが、画像を記憶する記憶媒体をデジタルカメラ１に内蔵してもよい。
【００２９】
図２は、本発明の実施形態におけるテレビ２０１の構成を示す図である。以下、本発明の実施形態におけるテレビ２０１の構成について説明する。
２０１は本実施形態におけるテレビ２０１である。
２０２は出力部であり、音声処理部２０５からの出力を受けて音声などを出力する。
２０３はユーザに対して情報を表示する表示部であり、表示処理部２０６によって処理される。
２０４はテレビ２０１の操作部であり、システムコントローラ２０７を介してユーザによる各種の動作指示を入力するための操作手段である。
２０８は電気的に消去・記録可能な不揮発性メモリである。ここに機器の無線設定情報を記憶することができる。２０９はテレビ２０１の動作用の定数、変数、プログラム等を記憶するメモリである。
２１０は無線通信回路であり、無線信号を送受信し、無線通信を制御する。２１５は他の機器と無線通信を行うためのアンテナである。
２１１は外部機器からのデータ入力部、２１２は外部機器へのデータ出力部である。２１３はチューナーであり、放送信号を受信して音声処理部２０５、表示処理部２０６へ与える。
２１４は電源手段である。
【００３０】
＜システム構成＞
以下、これらのデジタルカメラとテレビ２０１の構成をもとに、本実施形態において複数台のデジタルカメラとテレビ２０１とでネットワークを構成し、複数のデジタルカメラが保持している画像についてスライドショーを行う動作について説明する。本実施形態におけるスライドショーとは、表示装置に複数の画像が順次表示される表示形態をいう。なお、デジタルカメラ１、１０１、１０２、１０３及びテレビ２０１の制御は図１の不揮発性メモリ２２及び図２の不揮発性メモリ２０８に記憶されたソフトウェアプログラムにしたがい、システム制御回路９やシステムコントローラ２０７が実行する。
【００３１】
図３は、本実施例における複数台のデジタルカメラとテレビ２０１とのネットワーク構成例である。ここで、デジタルカメラ１０１、１０２、１０３は図１で示したデジタルカメラ１と同様の構成を持つものとする。これらの機器は、一般的な無線ＬＡＮで使用されるネットワーク識別情報であるＳＳＩＤ（Ｓｅｒｖｉｃｅ  Ｓｅｔ  Ｉｄｅｎｔｉｆｉｅｒ）や無線通信チャネル、暗号化のキーなどの無線パラメータについて予め共通の情報をメモリ上に記憶しておく。そして、そのパラメータに基づいて無線ＬＡＮによるネットワークを構築する。なお、本実施例で構築するネットワークはネットワークハブなどを介した有線によるＬＡＮでもよく、本実施例は構築するネットワークの形態に依存するものではない。
【００３２】
本実施形態のシステムでは、ネットワーク上の機器から、他の機器を制御する役割を持つ機器を決定する。本実施例では、複数台のうち１台のデジタルカメラが他の機器、例えば他のデジタルカメラやテレビを制御する役割を持つ。制御する側のデジタルカメラを「親カメラ」、その他の制御される側のデジタルカメラを「子カメラ」とする。子カメラは画像を記憶している機器である。子カメラは親カメラの制御に応じてネットワーク上の他の機器に画像を提供することが可能である。すなわち、ネットワーク上でサーバー機器として動作している。
【００３３】
本実施形態のシステムでは、親カメラが子カメラの画像情報を集めてテレビにスライドショーとして表示させることが可能である。具体的には、親カメラがネットワーク上から子カメラを検出して、それぞれの子カメラが持つ画像情報を収集することによりスライドショーのリストを作成する。そして親カメラはリストにしたがい、子カメラに対して画像データをテレビ２０１へ転送するよう指示する。この指示を画像ごとに順次行うことでスライドショー動作を実現する。
【００３４】
＜属性情報の収集＞
図４は、スライドショーにおける各カメラの役割を選択するための画面を示したものである。このスライドショーの設定画面４０１は、カメラ１の操作部２５をユーザが操作することにより、デジタルカメラの表示部１３に表示される。
【００３５】
設定画面４０１において、ユーザ操作により「マルチスライドショーを作成する」のアイコン４０２が選択されると、デジタルカメラは親カメラ１として起動する。「マルチスライドショーに参加する」のアイコン４０３が選択されると、デジタルカメラは子カメラとして起動する。「戻る」アイコン４０４を選択した場合は、デジタルカメラはスライドショーの開始を中止する。図４では「マルチスライドショーを作成する」のアイコン４０２が選択された状態を示している。デジタルカメラの操作部材により決定を示す動作が行われるとデジタルカメラ１は親カメラ１として起動する。次に、本実施形態におけるスライドショー処理の具体的な動作について、図５、図６のフローチャートを用いて説明する。
【００３６】
図５は、ネットワーク上の他の機器を制御する役割を持つ機器の動作を示すフローチャートである。本実施例では親カメラ１として起動されたデジタルカメラのシステム制御回路９が各部を制御することにより、以下の動作が実現される。
【００３７】
デジタルカメラ１が親カメラ１として起動されることにより、本フローチャートは開始される。
ステップＳ５０１において、親カメラ１は告知パケットを受信していないか確認する。ここで告知パケットとは、子カメラとなるデジタルカメラから親カメラとなるカメラ１に対して送信されるものである。告知パケットにはネットワークを構築するための情報、及び親カメラ１が子カメラを制御するための初期情報が含まれる。本実施形態における告知パケットの一例を図７に示す。告知パケットは、「パケット種類」、「宛先」、「機器情報のＵＲＬ」、「通知タイプ」、「通知サブタイプ」、「送信元情報」、「機器タイプ」といった情報を含む。ここで、「パケット種類」とは本実施例での動作を実現するために機器同士が通信する情報の種類であり、「告知」、「検索」、「要求」、「応答」などを定義する。図７では「告知」を示す情報が記述されている。「宛先」とはパケットの送信先であり、ＩＰアドレスと通信ポート番号で指定する。例えば告知パケットでは「２３９．２５５．２５５．２９０：１９００」などの指定でマルチキャストチャネルとポートを指定する。「機器情報のＵＲＬ」とは送信元の機器が有するＵＲＬである。例えば、「ｈｔｔｐ：／／１９２．１６８．０．１００：５８０００／ｉｎｄｅｘ０」である。「通知タイプ」とはこの機器が接続する他の機器に通知する方式を定義するものである。例えば、本実施例に示す親カメラのようなルートデバイスに送信する方式、子カメラ等の各デバイスに送信する方式、或いはサービスに対して送信する方式等が存在する。本実施例では「各デバイスに送信する方式」を選択する。「通知サブタイプ」とは「通知タイプ」を補足するものとしてデバイスを特定する方法等を定義する。「送信元情報」とは送信元の機器に関する製品名やバージョン、搭載するＯＳ名やそのバージョンを示す。「機器タイプ」とは機器の種類、例えばメディアプレーヤー、サーバー、表示装置、リモコン、などを指す。主に本実施例の動作においてはネットワーク上での個々の機器の役割を示すタイプも含まれる。告知パケット７０１を受信している場合は、親カメラ１は処理をステップＳ５０４へ進める。告知パケット７０１を受信していない場合は、処理をステップＳ５０２へ進める。
【００３８】
ステップＳ５０２において、親カメラ１は、他にスライドショーに参加する子カメラを探索すべく、検索パケット７０２を送信する。例えば、図３において子カメラとなりうるデジタルカメラ１０１、１０２、１０３のうち、子カメラとして起動していないものは告知パケット７０１を送信しない。したがって、親カメラ１は告知パケット７０１を送信しないデジタルカメラを子カメラとして認識しない。このようなカメラをスライドショーに参加させるため、親カメラ１は検索パケットを送信する。
【００３９】
検索パケット７０２とは、親カメラ１が子カメラを検索するために報知するためのパケットである。本実施形態における検索パケットの一例を図８（ａ）に示す。検索パケット７０２は、「パケット種類」「宛先」「検索タイプ」、「待機時間」、「検索ターゲット」といった情報を含む。ここで、「検索タイプ」とは検索の種類を示すカテゴリである。「待機時間」とは検索報知に対して応答を待つまでの最大待機時間である。この時間親カメラは検索を続ける。「検索ターゲット」とは検索範囲のデバイスを特定する。例えば全てのデバイス、ルートデバイス、特定のデバイス、特定のタイプのデバイス、特定のサービスを有するデバイスなどを指定する。ここで、親カメラ１は検索する機器の種類を検索パケット７０２の「検索ターゲット」フィールドへ記述する。例えば本実施形態の場合、親カメラ１は、スライドショー動作を行う際に必要となる、映像や音声を扱うサーバー機器や表示機器を「検索ターゲット」フィールドに記述する。このことにより、親カメラ１は、スライドショーに必要な機器を指定して検索することができる。
【００４０】
次にステップＳ５０３において、親カメラ１は、検索応答パケット７０３を受信しているか確認する。検索応答パケット７０３とは、ステップＳ５０２で親カメラが送信した検索パケットに応答して子カメラが送信するパケットである。本実施形態における検索応答パケットの一例を図８（ｂ）に示す。検索応答パケット７０３は、「パケット種類」、「有効期間」、「検索タイプ応答」、「機器情報のＵＲＬ」、「送信元情報」、「検索ターゲット」、「機器タイプ」といった情報を含む。ここで、「有効期間」とは応答する機器がネットワーク上で応答した機器タイプとしてどれだけの期間存在するか、すなわち役割の生存期間である。「検索タイプ応答」とは応答すべき検索タイプである。一定時間、検索応答パケット７０３を受信しない場合、親カメラ１は処理をステップＳ５０１へ戻し、動作を繰り返す。検索応答パケット７０３または告知パケット７０１を受信した場合は、処理をステップＳ５０４に進める。
【００４１】
ステップＳ５０４において、親カメラ１は、ステップＳ５０１またはステップＳ５０３で受信したパケットの「機器タイプ」フィールドを参照し、パケット送信元機器の情報を確認する。
【００４２】
ステップＳ５０５において、親カメラ１は、ステップＳ５０４で確認したパケット送信元の機器が、目的とする動作に必要な機器かどうか判断する。すなわち、パケット送信元の機器がスライドショー動作を行う際に必要となる、映像や音声を扱うサーバー機器や表示機器であるかどうかを判断する。送信元の機器が、親カメラ１が行う動作に必要な機器である場合、親カメラ１は、検索応答パケット７０３または告知パケット７０１に含まれる機器情報のＵＲＬを記憶し、処理をステップＳ５０６へ進める。送信元の機器が、親カメラ１が行う動作に必要なものでない場合、処理をステップＳ５０１へ戻し、必要な機器を発見するまで検索動作を繰り返す。例えばオーディオプレーヤーのように映像に付属しない音声データを再生する装置は画像表示を目的とするスライドショー動作にとって不要であるため、処理を進めない。本実施例では、スライドショー動作を行うのに必要でないタイプの機器に対して、親カメラ１は制御を行わない。
【００４３】
ステップＳ５０６において、親カメラ１は、ステップＳ５０５で機器情報を確認した機器に対して機器情報要求パケット７０４を送信する。機器情報要求パケットとは、親カメラから子カメラに対して送信されるものであって、機器や機器が提供できるサービスについての詳細情報を要求するためのパケットである。ここでいうサービスとは、「ファイルリスト転送」、「ファイル伝送」、「静止画像再生」、「動画像再生」、「音楽再生」、「静止画印刷」等である。本実施形態における機器情報要求パケットの一例を図９（ａ）に示す。機器情報要求パケット７０４は「パケット種類」、「宛先」といった情報を含む。機器情報の要求はステップＳ５０５で記憶した機器情報のＵＲＬに基づいて行う。図３において子カメラとなるカメラ１０１、１０２、１０３はこの要求に対して必要な機器情報を送り返す。
【００４４】
次にステップＳ５０７において、親カメラ１は、機器情報パケット７０５を受信しているか確認する。機器情報パケットとは、親カメラが送信した機器情報要求パケット７０４に応答して子カメラが送信するパケットである。本実施形態における機器情報パケットの一例を図９（ｂ）に示す。機器情報パケット７０５は「パケット種類」、「データ言語」、「データ長」、「データタイプ」、「機器情報」、からなる。ここで、「データ言語」とは機器同士が情報の通信を行う上で自機器が用いる言語の種類である。「データ長」とは「機器情報」の持つデータサイズである。「データタイプ」とは「機器情報」の示すデータ型である。「機器情報」とは機器名や型番の他、提供できるサービスを含む機器の情報を示す。親カメラは、一定時間機器情報パケット７０５を受信しない場合、処理をステップＳ５０６へ戻し、機器情報要求パケット７０４を送信する。機器情報パケット７０５を受信した場合は、処理をステップＳ５０８に進める。
【００４５】
ステップＳ５０８において、親カメラ１は、機器情報パケット７０５に記述されている機器情報を参照し、送信元機器についての詳細情報や、送信元の機器が提供できるサービスについての詳細を確認する。本実施形態では、子カメラから機器情報パケット７０５を受信した場合、「機器情報」フィールドには、子カメラの機器名や、子カメラが提供するサービス一覧情報が記述してある。サービスの例としては、「ファイルリスト転送」、「ファイル伝送」、「静止画像再生」、「動画像再生」、「音楽再生」、「静止画印刷」等がある。
【００４６】
ステップＳ５０９において、親カメラ１は、ステップＳ５０８で確認したサービスが必要とするサービスか否か判断する。必要とするサービスでなかった場合、例えば「音楽再生」や「静止画印刷」のような機能のみしかサービスとして提供しない場合は動作を終了する。必要とするサービスであった場合、親カメラ１は機器情報パケット７０５の機器名などの情報を保存する。ステップＳ５１０において親カメラ１は、サービス要求パケットを送信する。サービス要求パケットとは、親カメラが子カメラに対し、所望のサービスを要求するために送信するパケットである。本実施形態におけるサービス要求パケットの一例を図１０（ａ）に示す。サービス要求パケット７０６は「パケット種類」、「宛先」、「データ長」、「データタイプ」、「サービスタイプ」、「サービス要求」といった情報を含む。ここで、「サービスタイプ」とはサービス内容に基づくデータフォーマット等の情報である。「サービス要求」とは実際に要求するサービスの内容であり「ファイルリスト転送」、「ファイル伝送」、「再生」等である。またサービスの対象となるファイル名、ＩＤ等の詳細情報も含まれる。例えば、本システムにおいてスライドショーを実施するには、親カメラ１が複数の子カメラが保持する画像の属性情報を取得する必要がある。この場合、サービス要求パケット７０６に、「保持している画像の画像サイズや画像ＩＤやタイトル、日付などの一覧を送信する」といったサービスを記述する。このサービス要求パケット７０６の記述によって、色々なサービスを要求することが可能となる。例えば、「子カメラが保持している画像のうち、所定の期間内に撮影された画像の画像サイズや画像ＩＤやタイトル、日付などの一覧を送信する」、といったサービスも「サービス要求」フィールドに書き込むことにより、要求することができる。このことにより、親カメラが子カメラに対し、特定の検索条件に合致した画像の属性情報を送信させるよう制御することが可能となる。なお、これらサービスの内容については上記実施形態の内容に限定されるものではない。例えば親カメラは、子カメラに対して画像そのものを送信させることも可能である。
【００４７】
ステップＳ５１１において、親カメラ１は、サービス応答パケットを受信しているか判定する。サービス応答パケットとは、ステップＳ５１０で親カメラが送信したサービス要求パケット７０６に応答して子カメラから送信されるパケットである。本実施形態におけるサービス応答パケットの一例を図１０（ｂ）に示す。サービス応答パケット７０７は「パケット種類」、「データ長」、「データタイプ」、「検索タイプ応答」、「送信元情報」、「サービス応答」といった情報を含む。ここで、「サービス応答」とは応答すべきサービスの実データ、すなわち要求されたデータそのものである。一定時間サービス応答パケット７０７を受信しない場合は、親カメラ１は処理をステップＳ５１０に戻し、再度サービス要求パケット７０６を送信する。サービス応答パケット７０７を受信した場合、処理をステップＳ５１２に進める。なお、サービス応答パケット７０７に要求されたデータが必ずしも含まれている必要はなく、実データを一意に特定できる情報や、変換したデータを記述してもよい。
【００４８】
ステップＳ５１２において、親カメラ１は、受信したサービスの実行結果をデジタルカメラ１のメモリ２０に保存し、動作を終了する。
【００４９】
以上述べたように、親カメラ１はステップＳ５０６で要求したサービスを子カメラが実行した結果として、子カメラからサービス応答パケット７０７を受信する。このサービス応答パケット７０７には、サービスの実行結果、すなわち子カメラが保持する画像の画像サイズや画像ＩＤやタイトル、撮影日時などの属性情報が含まれている。画像ＩＤは画像を特定できる情報であればよく、例えば画像のファイル名や、画像に付加されたＵＵＩＤ（Ｕｎｉｖｅｒｓａｌｌｙ  Ｕｎｉｑｕｅ  ＩＤｅｎｔｉｆｉｅｒ）などを用いることができる。本実施形態では、ファイル名を用いる。親カメラ１は、これらの情報をリスト形式にしてスライドショーリストとしてデジタルカメラ１のメモリ２０に保存する。もちろん、予め子カメラ側でリスト形式にして親カメラ１に送信しても構わない。
【００５０】
図１１は、ステップＳ５１１において、親カメラ１が子カメラの所有する画像の属性情報を取得した場合に親カメラ１の表示部１３に表示される画面である。親カメラ１は、画像のリストを取得し終えると、ステップＳ５０９で「機器情報」フィールドから抽出し保存した機器名を表示する。図１１では、親カメラ１がデジタルカメラ１０１の画像リストを取得し終えたことをアイコン９０２で示す。ここでユーザ操作により開始アイコン９０３が選択されると、これまでに取得した画像の属性情報に従ってスライドショーが開始される。戻るアイコン９０４が選択されると、親カメラ１としての動作は中断される。
【００５１】
図５では、親カメラ１の動作について述べた。次に、ネットワーク上で制御される側の役割を持つ機器の動作、すなわち子カメラ１０１〜１０３及びテレビ２０１の動作について説明する。
【００５２】
図６に、本動作のフローチャートを示す。本実施形態では、子カメラ１０１のシステム制御回路９またはテレビ２０１のシステムコントローラ２０７が各部を制御することにより、以下の動作が実現される。以下、特に断らない限り、子カメラ１０１を例として説明する。
【００５３】
まずステップＳ６００において、子カメラ１０１は、ユーザ操作により、ネットワーク上で制御される側の役割を持つ機器として動作するよう指示があったか否かを判定する。すなわち、図４に示す画面で「マルチスライドショーに参加する」がユーザ操作により選択されたか否かを判定する。指示があった場合には、処理をステップＳ６０１に進める。指示がなかった場合には処理をステップＳ６０２に進める。
【００５４】
ステップＳ６０１において、子カメラ１０１は、自機器のタイプについての情報を含む告知パケットを生成し、現在接続しているネットワークに対してマルチキャストで送信する。例えば、子カメラは自機器が映像や音声を扱うサーバー機器であるということを告知パケット７０１の「機器タイプ」フィールドに記述する。また、テレビ２０１の場合には自機器が映像や音声を表示可能な表示機器であることを告知パケット７０１の「機器タイプ」フィールドに記述し、ネットワーク上の機器に対して告知パケット７０１を送信する。
【００５５】
ステップＳ６０２において、子カメラ１０１は、親カメラから送信された検索パケット７０２を受信しているか否か判定する。これは、子カメラが告知パケット７０１を送信後に親カメラ１からの検索パケット７０２を受信する場合があるからである。検索パケット７０２を受信した場合は処理をステップＳ６０３に進める。検索パケット７０２を受信しない場合は、処理をステップＳ６０６へ進める。
【００５６】
ステップＳ６０３において、子カメラ１０１は、検索パケット７０２の「検索ターゲットフィールド」の内容を参照し、親カメラから指定された検索条件を確認する。
【００５７】
ステップＳ６０４において、子カメラ１０１は、自機器がその検索条件に合致するかどうか判定する。検索条件に合致した場合は処理をステップＳ６０５に進める。検索条件に合致しなかった場合は、応答を行わずに処理をステップＳ６０６に進める。
【００５８】
ステップＳ６０５において、子カメラ１０１は、自機器の種類についての情報を含んだ検索応答パケット７０３を、パケット送信元に対して送信する。例えば、ステップＳ６０４において、検索パケット７０２が映像や音声を扱うサーバー機器を検索対象としていることが確認された場合、子カメラ１０１は自機器が映像や音声を扱うサーバー機器であるのでこのパケットに応答する。具体的には、検索応答パケット７０３の「機器タイプフィールド」に自機器の種類を記述して親カメラ１に対して送信する。テレビ２０１の場合であれば、ステップＳ６０４で映像や音声を再生可能な表示機器を検索対象としていることが確認された場合に、テレビ２０１は検索応答パケット７０３を送信する。
【００５９】
ステップＳ６０６において、子カメラ１０１は、機器情報要求パケット７０４を受信しているか確認する。一定時間、機器情報要求パケット７０４が受信されない場合は処理をステップＳ６０１に戻す。機器情報要求パケット７０４を受信すると、処理をステップＳ６０７に進める。
【００６０】
ステップＳ６０７において、子カメラ１０１は、自機器や自機器が提供できるサービスについての詳細情報を機器情報パケット７０５に記述し、機器情報要求パケット７０４の送信元へ返信する。
【００６１】
ステップＳ６０８において、子カメラ１０１はサービス要求パケット７０６を受信しているか確認する。受信した場合には処理をステップＳ６０９に進める。受信されない場合はそのまま継続してサービス要求パケット７０６の受信を待つ。
【００６２】
ステップＳ６０９において、子カメラ１０１は、サービス要求パケット７０６で要求されたサービスを自機器で実行する。そしてステップＳ６１０において、子カメラ１０１はその結果をサービス応答パケット７０７としてパケット送信元に送信する。
【００６３】
例えば、サービス要求パケット７０６の「サービス要求」フィールドには子カメラが保持している画像についての情報を要求する記述がされている。子カメラはこの記述を参照し、要求に応じた画像の属性情報送信処理を実行する。すなわち、子カメラは自機器が記憶している画像の画像サイズ、画像ＩＤ、タイトル、撮影日時などの属性情報の一覧をサービス応答パケット７０７の「サービス応答」フィールドに記述し、親カメラ１へ送信する。また、サービス要求パケット７０６の「サービス要求フィールド」に、撮影日時の指定などの検索条件が指定されている場合がある。この場合には、子カメラ１０１が記憶している画像のうち、条件に当てはまる画像を検索する。そして条件に一致した画像の属性情報の一覧をサービス応答パケット７０７の「サービス応答」フィールドに記述し、親カメラ１へ送信する。なお、属性情報は前述したものに限定されず、例えばＥｘｉｆ（Ｅｘｃｈａｎｇｅａｂｌｅ  Ｉｍａｇｅ  Ｆｉｌｅ  Ｆｏｒｍａｔ）形式に準拠した画像ファイルに含まれる属性情報なども含まれる。
【００６４】
以上述べたように、本システムでは、親カメラ１が子カメラに対して画像に関する情報を要求することが可能である。子カメラがサービスを実行することで、親カメラ１はネットワーク上に存在する複数台の子カメラが持つ画像について、画像サイズや画像ＩＤやタイトル、撮影日などの属性情報を取得することができる。親カメラ１は、各属性情報と子カメラのＩＤとを関連付けて、ネットワーク上のスライドショーリストを作成する。親カメラ１はスライドショーリストにより画像の表示順序を管理する。また、親カメラ１は、自機器のメモリカード３０に自機器で撮影した画像を記憶している場合がある。記憶している画像が存在する場合には、親カメラ１は、作成したスライドショーリストに、自機器の記憶している画像の属性情報を追加して画像一覧リストを更新することも可能である。
【００６５】
スライドショーリストは任意の順番で並び替えることが可能である。例えば親カメラ１は、撮影の日付・時刻をキーとして時系列順に画像を並び替えることで、図１２のようなスライドショーリストを作成することができる。ここでは、親カメラ１となったデジタルカメラ１がネットワーク上の子カメラ１０１、１０２、１０３が保持している画像に関する情報を収集した場合のスライドショーリストを示している。このスライドショーリストは、撮影の日付・時刻をキーとして時系列順に並び替えられている。このスライドショーリストの特徴の１つは、どのカメラに記憶されている画像かによらず、ネットワーク上の複数の機器が保有する画像がまとめて時系列順に並べられていることである。このことにより、複数のカメラに記憶された画像をまとめて時系列順にスライドショーすることが可能となる。
【００６６】
図１３は、親カメラ１が図３に示すネットワーク上に存在する子カメラ１０１、１０２、１０３について画像の属性情報を取得した場合に、親カメラ１の表示部１３に表示される画面である。子カメラの情報がアイコン１００２、１００３、１００４で示される。ここで、ユーザ操作により開始アイコン１００５が選択されると、親カメラ１は、作成したスライドショーリスト８０１に基づいて、ネットワーク上でのスライドショーを開始する。
【００６７】
＜スライドショー＞
図１４に、親カメラ１が実行するスライドショー処理のフローを示す。本フローは、親カメラ１が、ユーザ操作によるスライドショー開始の指示を検知した場合に開始される。
【００６８】
スライドショーが開始されると、ステップＳ１４０１で、親カメラ１はネットワーク上の機器に対してスライドショーの開始を通知する。
【００６９】
ステップＳ１４０２で、親カメラ１は不揮発性メモリ２２に記憶されたスライドショー番号Ｉを初期値に設定する。本実施形態では初期値は１とするが、それ以外の値をユーザの操作などで指示することにより、親カメラ１が予め記憶していてもよい。
【００７０】
ステップＳ１４０３で、親カメラ１はスライドショーリスト８０１のＩ番目の要素を読み出す。ここで読み出した要素に対応する画像が表示対象となる。したがって、ステップＳ１４０２から本ステップに進んできた場合には、１番目の画像を読み出す。なお、スライドショー番号Ｉが初期値以外の場合は、所定の時間待機してからステップＳ１４０４へ進む。この時間は親カメラ１が予め記憶している時間であり、スライドショーにおける画像１枚当たりの表示時間の目安となる。この時間はユーザ操作に基づき変更可能である。
【００７１】
ステップＳ１４０４で、親カメラ１はスライドショーリスト８０１を参照し、表示対象である画像のカメラＩＤを読み出す。そして、読み出したカメラＩＤが自機器のカメラＩＤと一致するか否か判断する。一致する場合は処理をステップＳ１４１７に進める。一致しない場合には処理をステップＳ１４０５に進める。
【００７２】
ステップＳ１４０４で一致しないと判断した場合について説明する。この場合には表示対象となる画像を他のカメラが記憶していることになる。したがって、ステップＳ１４０５で、親カメラ１はスライドショーリスト８０１のうちＩ番目の要素の画像ＩＤを読み出す。そして、Ｉ番目の画像を記憶したカメラのカメラＩＤを有する子カメラに対し、画像ＩＤに対応する画像を子カメラの表示部１３に表示させるためのパケットを送信する。このパケットには読み出した画像ＩＤが含まれる。
【００７３】
ステップＳ１４０４で一致すると判断した場合について説明する。この場合には表示対象となる画像を親カメラ１が記憶していることになる。したがって、ステップＳ１４１７で親カメラ１は、スライドショーリストのＩ番目の要素の画像に対応する画像を、自機のメモリカード３０から読み出し、自機器の表示部１３に表示する。
【００７４】
上記のステップＳ１４０５及びステップＳ１４１７の処理は、スライドショーの前に、表示対象の画像を画像の持ち主のカメラに表示するための処理である。この処理を行うことにより、各カメラのユーザは、自分のカメラに記憶された画像がスライドショーで表示されることを認識することができる。
【００７５】
引き続き、ステップＳ１４１７以後の処理について説明する。ステップＳ１４１７で画像を表示した後、親カメラ１はステップＳ１４１８で内蔵タイマを用いた時間の測定を開始する。
【００７６】
ステップＳ１４１９で、親カメラ１はユーザからの表示判定の指示を受け付けたか否かを判断する。受け付けた場合は処理をステップＳ１４２０に進める。受け付けていない場合には処理をステップＳ１４２１に進める。
【００７７】
ここで表示判定について説明する。ステップＳ１４１７で親カメラ１に画像が表示されることにより、親カメラ１のユーザは、自分のカメラに記憶された画像がスライドショーで表示されることを認識する。ここで親カメラ１のユーザは、現在自分のカメラ（親カメラ１）で表示されている画像がスライドショーでテレビ２０１に表示されてもよいか否かの表示判定を、操作部２５を操作することにより行う。この操作により、ユーザはスライドショーされたくない画像を任意に選択することが可能となる。
【００７８】
図１５はステップＳ１４１７の処理の結果、親カメラ１の表示部１３に画像が表示された状態である。表示領域１５０１には、ユーザに操作方法を提示するガイドアイコン１５０４が画像と共に表示されている。ここで、ガイドアイコン１５０４は、決定ボタン１５０３を押下すると、現在表示されている画像のスライドショー表示を許可する指示となることをユーザに示す。また、十字キー１５０２の右方向を押下すると、現在表示されている画像を表示不可とする指示となることをユーザに対して示す。ユーザはこのガイドアイコン１５０４に従い操作部２５を操作し、画像の表示、非表示を指示する。
【００７９】
ステップＳ１４１９以降の処理について説明する。ステップＳ１４１９において表示判定の指示を受け付けたと判断した場合、ステップＳ１４２０で親カメラ１は指示に従って表示判定フラグの値を決定する。表示判定フラグは、表示の可否を示す可否情報の一種であり、例えば表示可能である旨は１、表示不可である旨は０で示すなど、予め定められている。そして表示判定フラグの値を画像ＩＤと対応付けて記憶する。
【００８０】
ステップＳ１４１９で表示判定の指示を受け付けていないと判断した場合には、ステップＳ１４２１へ進み、ステップＳ１４１８で測定を開始したタイマの値を参照し、タイムアウトの判定を行う。タイムアウトまでの時間は予め設定されているものとする。タイマがタイムアウトになっていなければ処理をステップＳ１４１９に戻し、処理を繰り返す。タイムアウトになっていたら、つまり、本実施形態では、図１５に示す画面を表示してから一定時間が経過していると判断した場合には、ユーザの指示がなくても表示不可の指示がなされたものとみなし、処理をステップＳ１４２０に進める。
【００８１】
そしてステップＳ１４２０において親カメラ１は、表示判定フラグの値を表示不可として、画像ＩＤと対応付けて記憶する。
【００８２】
ステップＳ１４２２で、親カメラ１は画像の表示を終了させ、処理をステップＳ１４０６に進める。
【００８３】
なお、親カメラ１は、基本的にすべての画像をスライドショーし、ステップＳ１４２１でタイムアウトと判定された場合は表示可と判定し、画像を表示してもよい。つまり、ユーザが何も操作しない場合には表示対象の画像が自動的に再生される。このような処理は、例えばユーザが見せたくない画像が少ない場合にはユーザの操作が少なくなるので有効である。
【００８４】
ここまでの処理が、スライドショー前に表示判定を受け付ける処理である。以下、ステップＳ１４０６以降の、実際にスライドショーを行う処理について説明する。
【００８５】
ステップＳ１４０６で、親カメラ１はスライドショーリスト８０１を参照し、表示対象の画像を記憶しているカメラのＩＤをテレビ２０１に送信する。ここでは画像ＩＤは送信しない。
【００８６】
ステップＳ１４０７で、親カメラ１は内蔵タイマによる計測を開始し、表示判定フラグを受け付けるのを待つ。
【００８７】
ステップＳ１４０８で、親カメラ１は判定フラグを受け付けたか否かを判定する。判定フラグを受け付けるとは、ステップＳ１４２０で表示判定フラグを記憶するか、他の子カメラから表示判定フラグを受信（後述）することをいう。受け付けた場合は処理をステップＳ１４０９に進める。受け付けていない場合には処理をステップＳ１４１０に進め、タイムアウトの判定を行う。
【００８８】
ステップＳ１４０９で親カメラ１は、受け付けた表示判定フラグの値を参照し、表示可能を示すか表示不可を示すかを判断する。表示判定フラグの値が許可を示す場合は、処理をステップＳ１４１１に進める。表示判定フラグの値が表示不可を示している場合は、処理をステップＳ１４１２に進める。表示判定フラグの値が表示不可である場合には、Ｉ番目の画像を表示する処理は行われない。
【００８９】
ステップＳ１４１１で、親カメラ１はテレビ２０１に対し、テレビ２０１がカメラから画像を取得する際に必要な情報を送信する。ここで送信される情報には、現在のスライドショーリストのＩ番目の画像に関する画像ＩＤ、画像のタイトルやＵＲＬ、画像の記憶先のカメラＩＤが含まれる。この情報を取得することにより、テレビ２０１はカメラから画像を取得し、表示部２０３に画像を表示することが可能となる。つまり、親カメラ１はテレビ２０１への画像の表示制御を行う。
【００９０】
なお、ステップＳ１４１０においてタイムアウトした、つまり表示判定フラグを一定時間受信しなかった場合には、親カメラ１はステップＳ１４０９、Ｓ１４１１の処理は実行せず、処理をステップＳ１１１２に進める。つまり、親カメラ１はテレビ２０１にＩ番目の画像を表示させる処理を行わない。もちろん、タイムアウトした場合にはＩ番目の画像を表示させるようにしてもよい。
【００９１】
ステップＳ１４１２で、親カメラ１はスライドショーリスト８０１を参照し、表示対象の画像に対応するカメラＩＤが親カメラ１、すなわち自機のカメラＩＤと一致するか否かを判断する。親カメラＩＤのカメラＩＤと一致する場合には、処理をステップＳ１４１４に進める。一致しない場合には処理をステップＳ１４１３に進める。
【００９２】
ステップＳ１４１４で、親カメラ１は表示対象の画像を画像ＩＤに基づきメモリカード３０から読み出す。そしてテレビ２０１に送信する。
【００９３】
ステップＳ１４１３で、親カメラ１は現在のスライドショーリストの番号Ｉとスライドショーリストの全画像数を比較する。そして、現在のスライドショーリストの番号Ｉが最後の画像のもの、すなわち全画像数と一致するか否かを判断する。一致した場合には処理をステップＳ１４１６に進める。
【００９４】
ステップＳ１４１６で、親カメラ１はネットワーク上の機器に対してスライドショー終了通知を送信し、動作を終了する。
【００９５】
ステップＳ１４１３で、スライドショーが最後まで終了していないと判断した場合は、親カメラ１は処理をステップＳ１４１５に進める。
【００９６】
ステップＳ１４１５で、親カメラ１はスライドショーリストの番号Ｉの数を一つ増加し、ステップ１４０３へ戻って同様の動作を繰り返す。
【００９７】
以上が、本実施形態のスライドショー処理における親カメラ１の処理である。次に、本実施形態のスライドショー処理における子カメラの処理について述べる。子カメラ１０１〜１０３は原則として同じ処理を行う。ここでは、子カメラ１０１の処理を例として説明する。
【００９８】
図１６は、スライドショー実行中の子カメラ１０１の処理を示したフローチャートである。
【００９９】
本フローは、図１４のステップＳ１４０１で親カメラ１から送信されたスライドショーの開始通知を、子カメラ１０１が受信した際に開始される。
【０１００】
まずステップＳ１６０１で、子カメラ１０１はデータの受信を待機し、データを受信した場合にはその受信データの種類を判断する。親カメラ１から受信する可能性のあるデータは、表示対象の画像を示す画像ＩＤ（ステップＳ１４０５）、スライドショー処理の終了通知（ステップＳ１４１６）、そしてテレビからの表示画像取得要求（後述）である。画像ＩＤを受信した場合は処理をステップＳ１６０２に進める。
【０１０１】
ステップＳ１６０３で、子カメラ１０１は自機のメモリカード３０を検索し、受信した画像ＩＤに対応する画像を自機の表示部１３に表示する。このことにより子カメラ１０１のユーザは、自分のカメラに記憶された画像が、次にスライドショーで表示されることを前もって認識することができる。
【０１０２】
ステップＳ１６０４で、子カメラ１０１は内蔵タイマでの測定を開始する。
ステップＳ１６０５で、子カメラはユーザからの表示判定の指示を受け付けたか否かを判定する。ユーザによる表示判定の方法は親カメラ１の場合（ステップＳ１４１９）と同様であり、子カメラ１０１は図１５のような画面を表示部１３に表示し、ユーザの指示を受け付ける。
【０１０３】
ステップＳ１６０５で表示判定の指示を受け付けたと判断した場合に、子カメラ１０１はユーザの指示に従い、表示判定フラグの値として表示可能または表示不可を示す値を不揮発性メモリ２２に記憶する。
【０１０４】
そしてステップＳ１６０６で、子カメラ１０１は可否情報送信処理を行う。すなわち、表示判定フラグの値を親カメラ１に対して送信し、処理をステップＳ１６０８に進める。なお、本ステップで送信した値を親カメラ１が受信すると、親カメラ１はステップＳ１４０９以降の処理を行う。
【０１０５】
ステップＳ１６０５で表示判定の指示を受け付けなかったと判断した場合は、子カメラ１０１は処理をステップＳ１６０７に進める。
【０１０６】
ステップＳ１６０７において、子カメラ１０１はステップＳ１６０４で計測を開始したタイマがタイムアウトになっているか否かを判断する。タイムアウトになっていなければ処理を繰り返す。タイムアウトになっている、すなわちユーザから一定時間指示がないと判断した場合には、ユーザの指示がなくとも表示不可が指示されたものとして、表示判定フラグの値を記憶する。
そして子カメラ１０１は処理をステップＳ１６０６に進め、表示不可を示す値を親カメラ１に送信する。
ステップＳ１６０８で、子カメラ１０１は画像の表示を終了させ、ステップ１６０１へ戻る。
【０１０７】
次に、ステップＳ１６０１において表示画像取得要求を受信した場合について説明する。この場合、子カメラ１０１は処理をステップＳ１６０９へ進め、テレビ２０１にスライドショーで表示させるための画像を送信する。まず、受信した表示画像取得要求に含まれる画像ＩＤに対応する画像をメモリカード３０から読み出す。そして子カメラ１０１は読み出した画像をテレビ２０１に送信し、ステップＳ１６０１に戻る。
【０１０８】
また、ステップＳ１６０１で親カメラ１から終了通知を受信したと判断した場合には、子カメラ１０１は処理をステップＳ１６０３に進め、所定の終了処理を行い、処理を終了する。
【０１０９】
以上が、本実施形態のスライドショー処理における子カメラの処理である。次に、本実施形態のスライドショー処理におけるテレビ２０１の処理について述べる。
【０１１０】
図１７は、スライドショー実行中のテレビ２０１の動作を示したフローチャートである。
【０１１１】
本フローは、図１４のステップＳ１４０１で親カメラ１から送信されたスライドショーの開始通知を、テレビ２０１が受信した際に開始される。
【０１１２】
まず、ステップＳ１７０１で、テレビ２０１はデータの受信を待機する。データを受信すると、その受信データの種類を判断する。受信する可能性のあるデータは、図１４のステップＳ１４０６で送信されるカメラＩＤ、ステップＳ１４１１で送信される画像情報、そしてステップＳ１４１６で送信される終了通知である。
【０１１３】
なお、スライドショーが開始された後に、スライドショーの１枚目の画像を受信するまではある程度の時間を要する。そこで、１枚目の画像を受信するまでの期間、テレビ２０１は予め不揮発性メモリ２０８に記憶した画像をタイトル画像として表示してもよい。また、親カメラがステップＳ１４０１で送信する開始通知にタイトル画像を添付し、開始通知を受信したテレビ２０１がタイトル画像を表示させてもよい。
カメラＩＤを受信したと判断した場合には、テレビ２０１は処理をステップＳ１７０２に進める。
【０１１４】
そしてステップＳ１７０２で、テレビ２０１は受信したカメラＩＤをテレビの表示部２０３に表示する。この表示により、テレビ２０１は、スライドショーを閲覧しているユーザに対し、次にスライドショーされる画像がどの子カメラのものであるかを通知することができる。テレビ２０１の表示部では画像の記憶先であるカメラＩＤを表示するが、前述したように、記憶先のカメラの表示部１３には、表示対象の画像が表示されている（ステップＳ１６０２）。このように、親カメラ１がテレビ２０１にカメラＩＤを表示させることにより、スライドショーを見ていたユーザは自分のカメラを確認しなければならないことを知ることができる。
【０１１５】
図１８に、ステップＳ１７０２でカメラＩＤが表示された状態の画面を示す。表示領域１８０１には、既に画像が表示されている。アイコン１８０２はステップＳ１７０２で受信したカメラＩＤを示すアイコンである。テレビ２０１は、アイコン１８０２を既に表示中の画像に重畳して表示する。
【０１１６】
次に、ステップＳ１７０１において、テレビ２０１が親カメラ１から画像情報を受信したと判断し、処理をステップＳ１７０３に進めた場合について説明する。
【０１１７】
ステップＳ１７０３で、テレビ２０１は親カメラ１から受信したカメラＩＤ、画像ＩＤ、画像のＵＲＬ情報に基づき、子カメラに対する表示画像取得要求を送信する。表示画像取得要求は画像ＩＤ、画像のＵＲＬ情報を含み、テレビ２０１はカメラＩＤに基づき、要求を送信する子カメラを特定する。
【０１１８】
表示画像取得要求を送信した後、子カメラ１０１はステップＳ１７０５で内蔵タイマによる測定を開始する。
【０１１９】
ステップＳ１７０６で、テレビ２０１は、子カメラ１０１から送信された（ステップＳ１６０９）画像を受信したか否かを判断する。受信したと判断した場合には処理をステップＳ１７０７に進める。
【０１２０】
ステップＳ１７０７において、テレビ２０１は受信した画像を表示部２０３に表示し、処理をステップＳ１７０１に戻す。
【０１２１】
ステップＳ１７０６において、画像を受信していないと判断した場合には処理をステップＳ１７０８に進める。
【０１２２】
ステップＳ１７０８において、テレビ２０１はステップＳ１７０５で測定を開始した内蔵タイマを参照し、タイムアウトしているか否かを判断する。タイムアウトしていなければ処理を繰り返し、タイムアウトしていれば処理をステップＳ１７０９に進める。すなわち、一定時間画像の受信が行われなかった場合は、処理をステップＳ１７０９に進める。
【０１２３】
ステップＳ１７０９で、テレビ２０１は画像を受信したか否かの判断を中断し、処理をステップＳ１７０１へ戻す。
【０１２４】
次に、ステップＳ１７０１において、テレビ２０１が親カメラ１から終了通知を受信したと判断し、処理をステップＳ１７０４に進めた場合について説明する。
【０１２５】
ステップＳ１７０４で、テレビ２０１は現在表示しているカメラＩＤや画像の表示を終了するなど、所定の終了処理を行い、スライドショー動作を終了する。
【０１２６】
以上が、本実施形態のスライドショー処理におけるテレビ２０１の処理である。
【０１２７】
本実施形態では、複数のカメラに記憶された画像をスライドショーする場合に、次にスライドショーされる画像を、カメラの表示部１３に表示させる構成とした。この構成により、カメラのユーザは次にスライドショーされる画像を予め知ることができる。
【０１２８】
また、本実施形態のスライドショー処理では、画像がスライドショーされる通知を受けたユーザが、カメラを操作することにより、当該画像を表示するか否かを選択できるようにした。このことにより、ユーザは他人に見せたくない画像がスライドショーされることを未然に防止することができ、よりユーザの意図を反映したスライドショーが実現できる。
【０１２９】
＜第２の実施形態＞
次に、第２の実施形態を説明する。
【０１３０】
第１の実施形態では、親カメラ１がネットワークに接続された他の機器を制御するネットワーク制御装置の役割を担っていた。本実施形態では、テレビ２０１が他の機器を制御する機能を備え、ネットワーク制御装置としての役割を担う。
【０１３１】
本実施形態では、テレビ２０１が、図５に示すフローにしたがった処理を実行する。処理の内容は第１の実施形態と同様である。また、子カメラ１０１〜１０３も、親カメラ１でなくテレビ２０１からの制御を受け、基本的に第１の実施例と同様の処理を実行する。
【０１３２】
次に、本実施形態におけるスライドショー処理について説明する。本実施形態では、テレビ２０１が子カメラからの画像の属性情報を収集し、スライドショーリスト８０１を作成する。
【０１３３】
図１９は、スライドショー処理におけるテレビ２０１の処理を示すフローチャートである。
【０１３４】
ユーザがテレビ２０１の操作部２０４からスライドショーの開始指示を行うと、本フローに従ったスライドショー処理が開始される。
【０１３５】
ステップＳ１９０１〜Ｓ１９０３は、第１の実施形態における親カメラ１の動作と同様であり、ステップＳ１４０１〜Ｓ１４０３と同様の処理を行う。ステップＳ１９０４において、テレビ２０１はスライドショーリスト８０１中、Ｉ番目の要素の画像ＩＤをその画像を記憶した子カメラに対し送信する。ここで送信された画像ＩＤを受信した子カメラは、図１５に示す画面を自機の表示部１３に表示する。
【０１３６】
さらに、ステップＳ１９０５で、テレビ２０１はスライドショーリスト８０１中、Ｉ番目の要素のカメラＩＤをテレビの表示部２０３に表示する。この処理は第１の実施形態におけるステップＳ１７０２の処理と同様であり、テレビ２０１の表示部２０３には、図１８に示す画面が表示される。
【０１３７】
ステップＳ１９０６で、テレビ２０１は内蔵タイマによる測定を開始する。
【０１３８】
そしてステップＳ１９０７において、テレビ２０１は子カメラから表示判定フラグを受信したか否かを判断する。受信したと判断した場合には処理をステップＳ１９０８に進める。受信していないと判断した場合には処理をステップＳ１９０９に進める。
【０１３９】
ステップＳ１９０９において、テレビ２０１はステップＳ１９０６で測定を開始したタイマの値を参照し、タイムアウトしているか否かを判断する。タイムアウトしていないと判断した場合は処理をステップＳ１９０７に戻し、処理を繰り返す。タイムアウトしていると判断した場合はスライドショーリストのＩ番目の要素についての画像表示動作を行わず、ステップＳ１９１６へ進む。
【０１４０】
ステップ１９０８で、テレビ２０１は表示判定フラグの値が、表示可能を示しているか表示不可を示しているかを判断する。表示可能を示していると判断した場合は、処理をステップＳ１９１０に進める。表示不可を示していると判断した場合には、Ｉ番目の要素についての画像表示動作を行わず、処理をステップＳ１９１６に進める。
【０１４１】
ステップＳ１９１０で、テレビ２０１はスライドショーリストのＩ番目の要素を参照し、対応するカメラＩＤを有するカメラに表示画像取得要求を送信する。表示画像取得要求は、第１の実施形態と同様のものである。
【０１４２】
表示画像取得要求を送信した後の処理であるステップＳ１９１１〜Ｓ１９１５の処理は、第１の実施形態と同様であり、図１７のステップＳ１７０５〜Ｓ１７０９に対応する。ただし、本実施形態では、ステップＳ１９１３またはステップＳ１９１５での処理の終了後、テレビ２０１は処理をステップＳ１９１６に進める。
【０１４３】
ステップＳ１９１６〜ステップＳ１９１８は実施形態１で親カメラ１が行っていたステップＳ１４１３、Ｓ１４１５、Ｓ１４１６と同様の処理である。
【０１４４】
以上が、本実施形態のスライドショー処理においてテレビ２０１が実行する処理である。
【０１４５】
なお、前述したように、本実施例における子カメラ１０１〜１０３は、第１の実施形態と同様、図１９のフローにしたがった処理を行う。
【０１４６】
以上述べたように、本実施形態では、テレビ２０１がネットワークに接続された機器を制御し、スライドショーを行う構成とした。このことにより、テレビ２０１が表示装置とネットワーク制御装置の両方の役割を担うため、別途親カメラを設定する必要がなく、ネットワークの構成をシンプルにすることができる。
【０１４７】
＜第３の実施形態＞
第１、第２の実施形態では、テレビ２０１にスライドショーされる直前の画像を子カメラに通知していた。それに対して本実施形態では、スライドショー開始時に、親カメラ１がそれぞれの子カメラ１０１〜１０３に対してスライドショーリストに含まれる画像ＩＤを全て通知する構成とした。
【０１４８】
本実施形態は、第１の実施形態と共通する部分が多い。そこで、第１の実施形態と同様の部分については説明を省略し、本実施形態に特有の部分を中心に説明する。
【０１４９】
親カメラ１が各子カメラから画像を収集した結果、作成されたスライドショーリストを図１２の８０１に示す。
【０１５０】
次に、本実施形態におけるスライドショー処理について説明する。
【０１５１】
まず、親カメラ１の処理について説明する。親カメラは基本的に図１４のフローに従った処理を行うが、ステップＳ１４０１とステップＳ１４０２の間に本実施形態に特有の処理を行う。以下、この処理について説明する。
【０１５２】
親カメラ１は、ステップＳ１４０１でスライドショー開始通知を行った後に、スライドショーリスト８０１に基づき、子カメラのカメラＩＤ毎の画像リストを作成する。この画像リストは、スライドショーで再生される順番に画像ＩＤがリスト化されたものである。この画像リストの作成のタイミングはスライドショー開始通知の前でも構わない。そして、カメラＩＤ毎の画像リストを、それぞれのカメラＩＤを有する子カメラに送信する。その後、ステップＳ１４０２以降の処理を行う。
【０１５３】
子カメラは、カメラＩＤ毎に作成された画像リストに含まれる画像ＩＤを確認することで、メモリカード３０に記憶された画像のうち、スライドショー表示される予定の画像を識別することが可能となる。
【０１５４】
次に、本実施形態のスライドショー処理における子カメラの処理について述べる。原則として子カメラ１０１〜１０３は同様の処理を行う。ここでは子カメラ１０１を例として説明する。
【０１５５】
図２０は、本実施形態のスライドショー処理における子カメラ１０１の処理を示すフローチャートである。
【０１５６】
子カメラ１０１が親カメラ１から送信されたカメラＩＤ毎の画像リストを受信すると、本フローは開始される。ここで受信する画像リストは、カメラＩＤが子カメラ１０１である画像のリストである。
【０１５７】
親カメラから画像リストを受信すると、まずステップＳ２００１で、子カメラ１０１はメモリカード３０に記憶された画像の中から、受信した画像リストに含まれる画像ＩＤに対応する画像を検索する。そして表示部１３に画像一覧画面を表示する。
【０１５８】
図２１に子カメラ１０１の表示部１３に表示される画像一覧画面を示す。操作部などの符号は図１５と同じ番号を用いている。表示領域１５０１に、受信した画像リストに含まれる画像ＩＤに対応する画像２１０１が表示される。なお、ここに表示される画像には、表示用にリサイズされたり、圧縮された表示用の画像を用いることができる。
【０１５９】
ステップＳ２００２で、子カメラ１０１はユーザから一覧表示された画像に対する表示判定の指示を受け付ける。
【０１６０】
図２２に表示判定の動作を示す。ユーザは、表示領域１５０１に一覧表示された画像に対して、十字キー１５０２で画像を選択し、決定ボタン１５０３を押下することで、表示不可な画像として設定するよう指示する。子カメラ１０１は、ユーザにより表示不可とするよう指示された画像に、表示不可であることが識別できるマークがついた画像２２０１を表示し、ユーザに表示不可が決定されたことを示す。また子カメラ１０１は、当該画像についての表示不可フラグの値を、表示不可の値に設定して不揮発性メモリ２２に記憶する。これで表示／非表示の設定が完了し、子カメラ１０１は親カメラ１からの指示を待機する状態となる。
【０１６１】
なお、本実施形態は図２２に示すように、表示不可であることが識別できるマークがついた画像２２０１を表示したが、表示可能であることが識別できるマークがついた画像２２０１を表示してもよい。また、その両方をフラグの値に応じて表示してもよい。
【０１６２】
ステップＳ２００３で、子カメラ１０１はデータを受信したか否かを判断する。受信したと判断した場合には処理をステップＳ２００４に進める。受信していないと判断した場合には処理をステップＳ２００２に戻す。
【０１６３】
ステップＳ２００４で、子カメラ１０１は受信したデータの種類を判断する。画像ＩＤを受信したと判断した場合には処理をステップＳ２００５に進める。終了通知を受信したと判断した場合には処理をステップＳ２００６に進め、所定の終了処理を行った後、本処理を終了する。
【０１６４】
ステップＳ２００５で、子カメラ１０１は表示部１３に表示中の画像のうち、受信した画像ＩＤに対応する画像をユーザが識別できるように強調表示する。
【０１６５】
図２３に表示部１３に表示される画面の一例を示す。画像２３０２が強調表示されている。また、２３０１は既にスライドショーされた画像である。子カメラ１０１は、既にスライドショーされた画像もユーザが識別できるよう表示する。図２３では、画像２３０１をマスク表示することで他の画像と識別可能に表示している。このような表示を行うことにより、ユーザは自分のカメラに記憶された画像が次にスライドショーされることを知ることができる。
【０１６６】
ステップＳ２００７において、子カメラ１０１は内蔵タイマによる測定を開始する。
【０１６７】
ステップＳ２００８で、子カメラ１０１はユーザからの表示判定の指示を受け付けたか否かを判断する。表示判定を受け付ける処理は、第１の実施形態における図１６のステップＳ１６０５と同様の処理である。
【０１６８】
図２３に表示部１３に表示される画面の一例を示す。第１の実施形態と同様、子カメラ１０１はガイドアイコン２３０３を表示し、ユーザからの操作を受け付ける。そしてユーザからの表示判定の指示に応じて、表示判定フラグの値を設定する。つまり、本ステップでは、ステップＳ２００２で決定された表示判定フラグの値を、再度変更する処理を行う。このことにより、ユーザは一度表示するか否かを決定した後でも、スライドショーで表示される直前で再度変更する機会が与えられることになる。
【０１６９】
ステップＳ２００９、Ｓ２０１０は第１の実施形態と同様の処理であり、図１６のステップＳ１６０６、Ｓ１６０７に相当する。
【０１７０】
ステップＳ２０１１で、子カメラ１０１は画像２３０２の強調表示を終了させる。また、ステップＳ２００９で表示判定フラグを送信し終えた画像に対し、画像２３０１のようにマスク処理を施す。これらの処理を行った後、処理をステップＳ２００２に戻す。
【０１７１】
以上が、本実施形態のスライドショー処理における子カメラ１０１の実行する処理である。なお、本実施形態のテレビ２０１は、第１の実施形態と同様に図１７のフローに従った処理を行う。
【０１７２】
本実施形態によれば、子カメラのユーザはスライドショーされる自分の画像を、スライドショー開始時に一覧表示画面で確認することができる。また、子カメラのユーザは自分のカメラに記憶された画像を表示するか否かの指示をまとめて行うことができる。
【０１７３】
なお、本発明の第１〜第３の実施例においてスライドショーの画像コンテンツを提供する画像処理装置としてデジタルカメラの例を示したが、ポータブルフォトビューアなどの装置でもよい。
【０１７４】
さらに、本発明の第１〜第３の実施例においてはスライドショーの制御を行うネットワーク制御機器の役割をデジタルカメラまたはテレビ２０１が担った。しかし、ネットワーク上の別の機器が制御することも可能であり、ネットワーク制御機器は本実施例に限定されるものではない。
【０１７５】
さらに、図７において、本発明の第１〜第３の実施例において使用する、機器間でやり取りされる情報パケットの形式を示したが、本発明はこの形式に限定されるものではない。
【０１７６】
さらに、本発明の第１〜第３の実施例において、スライドショーで表示する画像をテレビ２０１からデジタルカメラへの画像取得要求の応答として転送した。しかし、ネットワーク制御機器によりデジタルカメラからテレビ２０１へ画像を自主的に送る形式でスライドショーを実現してもよく、本発明は画像転送の方法に制限されるものではない。
【０１７７】
また、本発明はカメラを含めたシステムに限定されるものではなく、複数の端末に記憶された画像をまとめてスライドショーするシステム全般に適用可能である。
【０１７８】
本発明の目的は、以下の処理を実行することによって達成される。即ち、上述した実施形態の機能を実現するコンピュータ可読のプログラムコードを記録した記憶媒体を、システム或いは装置に供給し、コンピュータ（またはＣＰＵやＭＰＵ等）が記憶媒体に格納されたプログラムコードを読み出す処理である。供給の形態はシステムあるいは装置記憶媒体に直接アクセスすることで供給されてもよいし、他の装置を介して供給されてもよい。
【０１７９】
この場合、記憶媒体から読み出されたプログラムコード自体が前述した実施の形態の機能を実現させることになり、そのプログラムコード及び該プログラムコードを記憶した記憶媒体は本発明を構成することになる。
【０１８０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１８１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１８２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１８３】
【図１】第１の実施形態におけるデジタルカメラのブロック図である。
【図２】第１の実施形態におけるテレビのブロック図である。
【図３】第１の実施形態におけるネットワーク構成例を示す図である。
【図４】第１の実施形態においてデジタルカメラの役割を決定する画面を示す図である。
【図５】第１の実施形態における親カメラの処理手順を示すフローチャートである。
【図６】第１の実施形態における子カメラの処理手順を示すフローチャートである。
【図７】第１の実施形態におけるパケットの形式について示す図である。
【図８】第１の実施形態におけるパケットの形式について示す図である。
【図９】第１の実施形態におけるパケットの形式について示す図である。
【図１０】第１の実施形態におけるパケットの形式について示す図である。
【図１１】第１の実施形態における親カメラによって検出された子カメラを表示する画面を示す図である。
【図１２】第１の実施形態におけるスライドショーリストを示す図である。
【図１３】第１の実施形態における親カメラ１によって検出された複数の子カメラを表示する画面を示す図である。
【図１４】第１の実施形態における親カメラの処理を示すフローチャートである。
【図１５】第１の実施形態における子カメラなどに表示される画面を示す。
【図１６】第１の実施形態における子カメラの処理を示すフローチャートである。
【図１７】第１の実施形態におけるテレビの処理を示すフローチャートである。
【図１８】第１の実施形態におけるテレビに表示される画面を示す。
【図１９】第２の実施形態におけるテレビの処理を示すフローチャートである。
【図２０】第３の実施形態における子カメラの処理を示すフローチャートである。
【図２１】第３の実施形態における子カメラに表示される画面を示す図である。
【図２２】第３の実施形態における子カメラに表示される画面を示す図である。
【図２３】第３の実施形態における子カメラに表示される画面を示す図である。
【図１】
2008300938.tif 000003
【図２】
2008300938.tif 000004
【図３】
2008300938.tif 000005
【図４】
2008300938.tif 000006
【図５】
2008300938.tif 000007
【図６】
2008300938.tif 000008
【図７】
2008300938.tif 000009
【図８】
2008300938.tif 000010
【図９】
2008300938.tif 000011
【図１０】
2008300938.tif 000012
【図１１】
2008300938.tif 000013
【図１２】
2008300938.tif 000014
【図１３】
2008300938.tif 000015
【図１４】
2008300938.tif 000016
【図１５】
2008300938.tif 000017
【図１６】
2008300938.tif 000018
【図１７】
2008300938.tif 000019
【図１８】
2008300938.tif 000020
【図１９】
2008300938.tif 000021
【図２０】
2008300938.tif 000022
【図２１】
2008300938.tif 000023
【図２２】
2008300938.tif 000024
【図２３】
2008300938.tif 000025